【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
クライアント端末とネットワークを介して通信可能な情報処理装置であって、
前記クライアント端末から、メールの内容と、当該メールの内容の確認を依頼する確認者のアドレスと、当該確認者により確認が取れた後に送信するアドレスとを含む確認依頼を受け付ける確認依頼受付手段と、
前記確認依頼受付手段により受け付けた確認依頼に含まれる前記メールの内容の確認を依頼する確認者のアドレスに対して、前記確認依頼受付手段により受け付けた確認依頼に含まれる前記メールの内容と、当該確認者が返信すべき返信先のアドレスとが含まれる確認メールを送信する第一の送信手段と、
前記第一の送信手段により送信された確認メールに対して、前記確認者から前記返信先のアドレスに対して送信された回答を受信する受信手段と、
前記受信手段により受信された回答の受信状況に応じて、前記メールの内容の確認が取れた場合、前記確認依頼受付手段により受け付けた確認依頼に含まれる前記確認者により内容の確認が取れた後に送信するアドレスに対して、確認が取れた内容を含むメールを送信する第二の送信手段と
を備えることを特徴とする情報処理装置。
【請求項２】
前記確認者が返信すべき返信先のアドレスには、内容に問題がない場合に返信するアドレスと、内容に問題があった場合に返信するアドレスとが含まれることを特徴とする請求項１に記載の情報処理装置。
【請求項３】
前記受信手段により受信された前記確認者からの回答の受信状況を管理する管理手段を有することを特徴とする請求項１または２に記載の情報処理装置。
【請求項４】
前記クライアント端末からの要求に応じて、前記管理手段により管理される回答の受信状況を確認可能な画面を送信する確認画面送信手段を有することを特徴とする請求項３に記載の情報処理装置。
【請求項５】
確認画面送信手段は、前記確認者により内容の確認が取れた後に送信するアドレスへのメールの送信を中止する指示を可能なボタンを含む画面を送信することを特徴とする請求項４に記載の情報処理装置。
【請求項６】
前記確認者が返信すべき返信先のアドレスは、メールアドレスであり、前記受信手段により受信する回答は、メールであることを特徴とする請求項１乃至５のいずれか１項に記載の情報処理装置。
【請求項７】
前記情報処理装置は、ウェブメールサーバであることを特徴とする請求項６に記載の情報処理装置。
【請求項８】
クライアント端末とネットワークを介して通信可能な情報処理装置における情報処理方法であって、
前記クライアント端末から、メールの内容と、当該メールの内容の確認を依頼する確認者のアドレスと、当該確認者により確認が取れた後に送信するアドレスとを含む確認依頼を受け付ける確認依頼受付ステップと、
前記確認依頼受付ステップにより受け付けた確認依頼に含まれる前記メールの内容の確認を依頼する確認者のアドレスに対して、前記確認依頼受付ステップにより受け付けた確認依頼に含まれる前記メールの内容と、当該確認者が返信すべき返信先のアドレスとが含まれる確認メールを送信する第一の送信ステップと、
前記第一の送信ステップにより送信された確認メールに対して、前記確認者から前記返信先のアドレスに対して送信された回答を受信する受信ステップと、
前記受信ステップにより受信された回答の受信状況に応じて、前記メールの内容の確認が取れた場合、前記確認依頼受付ステップにより受け付けた確認依頼に含まれる前記確認者により内容の確認が取れた後に送信するアドレスに対して、確認が取れた内容を含むメールを送信する第二の送信ステップと
を含むことを特徴とする情報処理方法。
【請求項９】
クライアント端末とネットワークを介して通信可能な情報処理装置において実行可能なプログラムであって、
前記クライアント端末から、メールの内容と、当該メールの内容の確認を依頼する確認者のアドレスと、当該確認者により確認が取れた後に送信するアドレスとを含む確認依頼を受け付ける確認依頼受付手段、
前記確認依頼受付手段により受け付けた確認依頼に含まれる前記メールの内容の確認を依頼する確認者のアドレスに対して、前記確認依頼受付手段により受け付けた確認依頼に含まれる前記メールの内容と、当該確認者が返信すべき返信先のアドレスとが含まれる確認メールを送信する第一の送信手段、
前記第一の送信手段により送信された確認メールに対して、前記確認者から前記返信先のアドレスに対して送信された回答を受信する受信手段、
前記受信手段により受信された回答の受信状況に応じて、前記メールの内容の確認が取れた場合、前記確認依頼受付手段により受け付けた確認依頼に含まれる前記確認者により内容の確認が取れた後に送信するアドレスに対して、確認が取れた内容を含むメールを送信する第二の送信手段
として前記情報処理装置を機能させることを特徴とするプログラム。
【請求項１０】
クライアント端末と情報処理装置とがネットワークを介して通信可能なウェブメールシステムであって、
前記クライアント端末から、メールの内容と、当該メールの内容の確認を依頼する確認者のアドレスと、当該確認者により確認が取れた後に送信するアドレスとを含む確認依頼を受け付ける確認依頼受付手段と、
前記確認依頼受付手段により受け付けた確認依頼に含まれる前記メールの内容の確認を依頼する確認者のアドレスに対して、前記確認依頼受付手段により受け付けた確認依頼に含まれる前記メールの内容と、当該確認者が返信すべき返信先のアドレスとが含まれる確認メールを送信する第一の送信手段と、
前記第一の送信手段により送信された確認メールに対して、前記確認者から前記返信先のアドレスに対して送信された回答を受信する受信手段と、
前記受信手段により受信された回答の受信状況に応じて、前記メールの内容の確認が取れた場合、前記確認依頼受付手段により受け付けた確認依頼に含まれる前記確認者により内容の確認が取れた後に送信するアドレスに対して、確認が取れた内容を含むメールを送信する第二の送信手段と
を備えることを特徴とするウェブメールシステム。
【手続補正２】
【補正対象書類名】明細書
【補正対象項目名】発明の名称
【補正方法】変更
【補正の内容】
【発明の名称】情報処理装置、および情報処理方法、プログラム、ウェブメールシステム
【手続補正３】
【補正対象書類名】明細書
【補正対象項目名】０００８
【補正方法】変更
【補正の内容】
【０００８】
本発明は、クライアント端末とネットワークを介して通信可能な情報処理装置であって、前記クライアント端末から、メールの内容と、当該メールの内容の確認を依頼する確認者のアドレスと、当該確認者により確認が取れた後に送信するアドレスとを含む確認依頼を受け付ける確認依頼受付手段と、前記確認依頼受付手段により受け付けた確認依頼に含まれる前記メールの内容の確認を依頼する確認者のアドレスに対して、前記確認依頼受付手段により受け付けた確認依頼に含まれる前記メールの内容と、当該確認者が返信すべき返信先のアドレスとが含まれる確認メールを送信する第一の送信手段と、前記第一の送信手段により送信された確認メールに対して、前記確認者から前記返信先のアドレスに対して送信された回答を受信する受信手段と、前記受信手段により受信された回答の受信状況に応じて、前記メールの内容の確認が取れた場合、前記確認依頼受付手段により受け付けた確認依頼に含まれる前記確認者により内容の確認が取れた後に送信するアドレスに対して、確認が取れた内容を含むメールを送信する第二の送信手段とを備えることを特徴とする。